(57)【要約】【課題】組立作業が容易で装置自体もコンパクトに形成することが可能なグラウンドアンカーの耐荷重試験方法及び装置を提供することを課題としている。【解決手段】本発明は、地盤を補強するグラウンドアンカー３の地盤表面から露出したアンカー頭部３ｂ側に係合する係合部材２と、係合部材２に力を加える加力手段１２とを備え、グラウンドアンカー３に引抜方向の荷重が作用するように前記加力手段１２から係合部材２に力を加えることにより、グラウンドアンカー３の耐荷重試験を行うグラウンドアンカー３の耐荷重試験装置において、係合部材２が前記アンカー頭部３ｂ側に係脱自在に係合するフックであり、加力手段１２からの力を増幅して係合部材２に伝える増幅機構を設ける。【選択図】図１
2009229163.tif 000002
【特許請求の範囲】
【請求項１】
地盤を補強するグラウンドアンカー（３）の地盤表面から露出したアンカー頭部（３ｂ）側に係合する係合部材（２）と、係合部材（２）に力を加える加力手段（１２）とを備え、グラウンドアンカー（３）に引抜方向の荷重が作用するように前記加力手段（１２）から係合部材（２）に力を加えることにより、グラウンドアンカー（３）の耐荷重試験を行うグラウンドアンカー（３）の耐荷重試験装置において、係合部材（２）が前記アンカー頭部（３ｂ）側に係脱自在に係合するフックであり、加力手段（１２）からの力を増幅して係合部材（２）に伝える増幅機構を設けたグラウンドアンカーの耐荷重試験装置。
【請求項２】
増幅機構が梃子の原理を用いてなる請求項１のグラウンドアンカーの耐荷重試験装置。
【請求項３】
増幅機構が動滑車（３２）を用いてなる請求項１のグランドアンカーの耐荷重試験装置。
【請求項４】
係合部材（２）が、アンカー頭部（３ｂ）に取付固定されてグラウンドアンカー（３）の引張力により地盤側に押圧される支圧板（４）の端部に係脱自在に係合させるフックである請求項１，２又は３のグラウンドアンカーの耐荷重試験装置。
【請求項５】
方形状の支圧板（４）の一辺端にフックを係合して該一辺と対向する他辺端を支点に支圧板（４）を回動させることによりグラウンドアンカー（３）に引抜方向の荷重を掛ける請求項４のグラウンドアンカーの耐荷重試験装置。
【請求項６】
方形状の支圧板（４）の対向する２辺に、前記加力手段（１２）、増幅機構及び係合部材（２）をそれぞれ各別に配置し、前記各辺端に各係合部材（２）を係合させる請求項４のグラウンドアンカーの耐荷重試験装置。
【請求項７】
上下回動可能に支持された一対の作用体（２６）と、アンカー頭部（３ｂ）側を押圧挟持する一対の挟持体（２４）と、各作用体（２６）と対応する各挟持体（２４）の間に設けられ且つ挟持体（２４）がアンカー頭部（３ｂ）側を挟持しながらグラウンドアンカー（３）に引抜方向の荷重を掛けるように作用体（２６）から挟持体（２４）に力を伝えるカム機構とを備え、一対の作用体（２６）に前記加力手段（１２）、増幅機構及び係合部材（２）をそれぞれ各別に設け、作用体（２６）にフック（２）を係合させて作用体（２６）にグラウンドアンカー（３）引抜方向の力を加える請求項１，２又は３のグラウンドアンカーの耐荷重試験装置。
【請求項８】
対応する挟持体（２４）に当接するような各作用体（２６）の配置及び作用体（２６）と挟持体（２４）の当接形状により前記カム機構を構成した請求項７のグラウンドアンカーの耐荷重試験装置。
【請求項９】
一対の挟持体（２４）が、グラウンドアンカー（３）の引張力により地盤側に押圧される支圧板（４）をアンカー頭部（３ｂ）に係止固定する係止部材（６）側を挟持する請求項７又は８のグラウンドアンカーの耐荷重試験装置。
【請求項１０】
挟持体（２４）と係止部材（６）の間に、挟持体（２４）及び係止部材（６）に当接して挟持体（２４）からの力を確実に係止部材（６）に伝える当接部材（２２）を介在させてなる請求項９のグラウンドアンカーの耐荷重試験装置。
【請求項１１】
地盤を補強するグラウンドアンカー（３）に引抜方向の荷重が作用するように、該グラウンドアンカー（３）の地盤表面から露出したアンカー頭部（３ｂ）側に係合する係合部材（２）に加力手段（１２）により力を加えることにより、グラウンドアンカー（３）の耐荷重試験を行うグラウンドアンカー（３）の耐荷重試験方法において、係合部材（２）が前記アンカー頭部（３ｂ）側に係脱自在に係合するフックであり、加力手段（１２）からの力を増幅機構により増幅して係合部材（２）に伝えるグラウンドアンカーの耐荷重試験方法。
【請求項１２】
増幅機構が梃子の原理を用いてなる請求項１１のグラウンドアンカーの耐荷重試験方法。
【請求項１３】
増幅機構が動滑車（３２）を用いてなる請求項１１のグランドアンカーの耐荷重試験方法。
【請求項１４】
アンカー頭部（３ｂ）に取付固定されてグラウンドアンカー（３）の引張力により地盤側に押圧される支圧板（４）の端部に、前記フック（２）を係脱自在に係合させる請求項１１，１２又は１３のグラウンドアンカーの耐荷重試験方法。
【請求項１５】
方形状の支圧板（４）の一辺端にフック（２）を係合して該一辺と対向する他辺端を支点に支圧板（４）を回動させることによりグラウンドアンカー（３）に引抜方向の荷重を掛ける請求項１４のグラウンドアンカーの耐荷重試験方法。
【請求項１６】
方形状の支圧板（４）の対向する２辺に、前記加力手段（１２）、増幅機構及び係合部材（２）それぞれ各別に配置し、前記各辺端に各係合部材（２）を係合させる請求項１４のグラウンドアンカーの耐荷重試験装方法。
【請求項１７】
上下回動可能に支持された一対の作用体（２６）にそれぞれ各別に前記加力手段（１２）、増幅機構及び係合部材（２）を用意し、各作用体（２６）にフック（２）を係合させることにより、作用体（２６）が、カム機構を介して、アンカー頭部（３ｂ）側を挟持しながらグラウンドアンカー（３）に引抜方向の荷重を掛けるように、挟持体（２４）に力を伝える請求項１１，１２又は１３のグラウンドアンカーの耐荷重試験方法。
【請求項１８】
対応する挟持体（２４）に当接するような各作用体（２６）の配置及び作用体（２６）と挟持体（２４）の当接形状により前記カム機構を構成した請求項１７のグラウンドアンカーの耐荷重試験方法。
【請求項１９】
一対の挟持体（２４）が、グラウンドアンカー（３）の引張力により地盤側に押圧される支圧板（４）をアンカー頭部（３ｂ）に係止固定する係止部材（６）側を挟持する請求項１７又は１８のグラウンドアンカーの耐荷重試験方法。
【請求項２０】
挟持体（２４）と係止部材（６）の間に、挟持体（２４）及び係止部材（６）に当接して挟持体（２４）からの力を確実に係止部材（６）に伝える当接部材（２２）を介在させる請求項１９のグラウンドアンカーの耐荷重試験方法。
【発明の詳細な説明】
【技術分野】
【０００１】
本発明は、土木建設工事等で用いられるグラウンドアンカーの耐荷重試験方法及び装置に関する。
【背景技術】
【０００２】
土木建設工事等で用いられるグラウンドアンカー工により地盤に定着させたグラウンドアンカー（アンカー）の現状の定着荷重（アンカー力）等を計測してグラウンドアンカーの耐荷重試験を行う場合、センターホール型の油圧式ジャッキからなる試験装置を用いて行う従来公知のグラウンドアンカーの耐荷重試験方法では、試験装置の構造が複雑で組立に手間が掛かるため、作業性の面で問題がある。くわえて、グラウンドアンカーの定着施行に関する作業は、のり面等、足場が不安定な場所で行われることが多く、この場合には上記問題が顕在化する。
【０００３】
この問題を改善するため、地盤を補強するグラウンドアンカーに引抜方向の荷重が作用するように、該グラウンドアンカーの地盤表面から露出したアンカー頭部側に係合する係合部材に加力手段により力を加えることにより、グラウンドアンカーの耐荷重試験を行う特許文献１に示すグラウンドアンカーの耐荷重試験方法が公知になっている。
【特許文献１】特開２００６−２２０４６４号公報
【発明の開示】
【発明が解決しようとする課題】
【０００４】
上記文献のグラウンドアンカーの耐荷重試験方法は、アンカー頭部側に係合する係合部材（特許文献１の段落番号１９の「ジャッキ挟持体」）を用いることにより装置の組立作業が簡易化されるというメリットがある一方で、グラウンドアンカーに大きな引抜方向の荷重を掛ける場合、加力手段（特許文献１の段落番号１９の「ジャッキ」）の出力を大きくするか、加力手段を複数設ける必要があり、装置そのものが大きくなってしまうという課題がある。くわえて、係合部材であるジャッキ挟持体をアンカー頭部にセットする作業やジャッキをジャッキホルダーに設置する作業が必要になり、装置の組立作業性の面でも依然課題が残るものになっている。
本発明は、上記課題を解決し、組立作業が容易で装置自体もコンパクトに形成することが可能なグラウンドアンカーの耐荷重試験方法及び装置を提供することを目的としている。
【課題を解決するための手段】
【０００５】
上記課題を解決するため本発明のグラウンドアンカーの耐荷重試験装置は、第１に、地盤を補強するグラウンドアンカー３の地盤表面から露出したアンカー頭部３ｂ側に係合する係合部材２と、係合部材２に力を加える加力手段１２とを備え、グラウンドアンカー３に引抜方向の荷重が作用するように前記加力手段１２から係合部材２に力を加えることにより、グラウンドアンカー３の耐荷重試験を行うグラウンドアンカー３の耐荷重試験装置において、係合部材２が前記アンカー頭部３ｂ側に係脱自在に係合するフックであり、加力手段１２からの力を増幅して係合部材２に伝える増幅機構を設けたことを特徴としている。
【０００６】
第２に、増幅機構が梃子の原理を用いてなることを特徴としている。
【０００７】
第３に、増幅機構が動滑車３２を用いてなることを特徴としている。
【０００８】
第４に、係合部材２が、アンカー頭部３ｂに取付固定されてグラウンドアンカー３の引張力により地盤側に押圧される支圧板４の端部に係脱自在に係合させるフックであることを特徴としている。
【０００９】
第５に、方形状の支圧板４の一辺端にフックを係合して該一辺と対向する他辺端を支点に支圧板４を回動させることによりグラウンドアンカー３に引抜方向の荷重を掛けることを特徴としている。
【００１０】
第６に、方形状の支圧板４の対向する２辺に、前記加力手段１２、増幅機構及び係合部材２をそれぞれ各別に配置し、前記各辺端に各係合部材２を係合させることを特徴としている。
【００１１】
第７に、上下回動可能に支持された一対の作用体２６と、アンカー頭部３ｂ側を押圧挟持する一対の挟持体２４と、各作用体２６と対応する各挟持体２４の間に設けられ且つ挟持体２４がアンカー頭部３ｂ側を挟持しながらグラウンドアンカー３に引抜方向の荷重を掛けるように作用体２６から挟持体２４に力を伝えるカム機構とを備え、一対の作用体２６に前記加力手段１２、増幅機構及び係合部材２をそれぞれ各別に設け、作用体２６にフック２を係合させて作用体２６にグラウンドアンカー３引抜方向の力を加えることを特徴としている。
【００１２】
第８に、対応する挟持体２４に当接するような各作用体２６の配置及び作用体２６と挟持体２４の当接形状により前記カム機構を構成したことを特徴としている。
【００１３】
第９に、一対の挟持体２４が、グラウンドアンカー３の引張力により地盤側に押圧される支圧板４をアンカー頭部３ｂに係止固定する係止部材６側を挟持することを特徴としている。
【００１４】
第１０に、挟持体２４と係止部材６の間に、挟持体２４及び係止部材６に当接して挟持体２４からの力を確実に係止部材６に伝える当接部材２２を介在させてなることを特徴としている。
【００１５】
本発明のグラウンドアンカーの耐荷重試験方法は、第１に、地盤を補強するグラウンドアンカー３に引抜方向の荷重が作用するように、該グラウンドアンカー３の地盤表面から露出したアンカー頭部３ｂ側に係合する係合部材２に加力手段１２により力を加えることにより、グラウンドアンカー３の耐荷重試験を行うグラウンドアンカー３の耐荷重試験方法において、係合部材２が前記アンカー頭部３ｂ側に係脱自在に係合するフックであり、加力手段１２からの力を増幅機構により増幅して係合部材２に伝えることを特徴としている。
【００１６】
第２に、増幅機構が梃子の原理を用いてなることを特徴としている。
【００１７】
第３に、増幅機構が動滑車３２を用いてなることを特徴としている。
【００１８】
第４に、アンカー頭部３ｂに取付固定されてグラウンドアンカー３の引張力により地盤側に押圧される支圧板４の端部に、前記フック２を係脱自在に係合させることを特徴としている。
【００１９】
第５に、方形状の支圧板４の一辺端にフック２を係合して該一辺と対向する他辺端を支点に支圧板４を回動させることによりグラウンドアンカー３に引抜方向の荷重を掛けることを特徴としている。
【００２０】
第６に、方形状の支圧板４の対向する２辺に、前記加力手段１２、増幅機構及び係合部材２それぞれ各別に配置し、前記各辺端に各係合部材２を係合させることを特徴としている。
【００２１】
第７に、上下回動可能に支持された一対の作用体２６にそれぞれ各別に前記加力手段１２、増幅機構及び係合部材２を用意し、各作用体２６にフック２を係合させることにより、作用体２６が、カム機構を介して、アンカー頭部３ｂ側を挟持しながらグラウンドアンカー３に引抜方向の荷重を掛けるように、挟持体２４に力を伝えることを特徴としている。
【００２２】
第８に、対応する挟持体２４に当接するような各作用体２６の配置及び作用体２６と挟持体２４の当接形状により前記カム機構を構成したことを特徴としている。
【００２３】
第９に、一対の挟持体２４が、グラウンドアンカー３の引張力により地盤側に押圧される支圧板４をアンカー頭部３ｂに係止固定する係止部材６側を挟持することを特徴としている。
【００２４】
第１０に、挟持体２４と係止部材６の間に、挟持体２４及び係止部材６に当接して挟持体２４からの力を確実に係止部材６に伝える当接部材２２を介在させることを特徴としている。
【発明の効果】
【００２５】
以上のように構成される本発明によれば、加力手段からの力を増幅して係合部材に伝える増幅機構を用いることにより加力手段の出力が小さくてもグラウンドアンカーに引抜方向の大きな荷重を掛けることが可能になるため、装置自体をコンパクトに形成できるという効果がある他、フックをアンカー頭部側に係合させることにより組立作業を行うことができるため、装置の組立作業がより簡易化されるという効果がある。
【００２６】
また、アンカー頭部に取付固定され且つグラウンドアンカーの引張力により地盤側に押圧される支圧板の端部に前記フックを係脱自在に係合させることにより、加力手段の力をグラウンドアンカーに伝えるため、装置がよりシンプルに構成されるという効果がある。
【００２７】
方形状の支圧板の一辺端にフックを係合して該一辺端と対向する他辺端を支点に支圧板を回動させることにより、梃子の原理を作用させてグラウンドアンカーに引抜方向の荷重を掛けることができ、加力手段の出力をより小さくすることが可能になるという効果がある。
【００２８】
前記加力手段、増幅機構及び係合部材を複数設けることにより、加力手段の出力をより小さくできるという効果がある。
【００２９】
上下回動可能に支持された一対の作用体にそれぞれ各別に前記加力手段、増幅機構及び係合部材を用意し、各作用体にフックを係合させることにより、作用体が、カム機構を介して、アンカー頭部側を挟持しながらグラウンドアンカーに引抜方向の荷重を掛けるように、挟持体に力を伝えることにより、作用体に加える力を解除すればアンカー頭部側の保持が解除されるため、装置の組立がより簡易化されるという効果がある。
【発明を実施するための最良の形態】
【００３０】
本発明の一実施形態を図面に基づいて説明する。図１は本発明の第１実施形態に係わるグラウンドアンカーの耐荷重試験の方法及び使用する測定装置１の構成を示す正面図であり、測定装置１の係合部材２（フック，フック部）によってグラウンドアンカー３（アンカー）の支圧板（アンカープレート）４を上方に引っ張る試験態様を示す。図２は図１の要部の構成を示す平面図である。図３は本発明の第２実施形態に係わる耐荷重試験の方法と測定装置１の構成を示し、係合部材２によって係止部材（ナット）６を上方に引っ張る試験態様を示す。図４は図３の構成を示す平面図である。図５は測定装置１の別実施形態を示す。
【００３１】
先ず本発明の第１実施形態について図１，図２を参照し説明する。図示例のグラウンドアンカー（以下単にアンカーと言う）３は山肌等の法面に在来のグラウンドアンカー工によって施工されたものを示し、このアンカー３は所定長のアンカー体３ａを地盤に穿設された穴にコンクリートを充填して形成される支柱部７と、地面にコンクリートを敷設して形成される擁壁（構造物）８に挿入した状態で固定支持され、アンカー３の頭部に形成されるアンカー頭部３ｂを擁壁８から（地盤表面から）上方に突出させている。また上記アンカー頭部３ｂに支圧板４を挿入した状態で、アンカー頭部３ｂの外周に形成されるアンカーネジ部に係止部材としてのナット６が螺合（係合）される。そして、ナット６を締着することにより、アンカー体３ａが定着対象地盤５Ａによって支持されるアンカー３の引張力によって、アンカー３が、支圧板４を擁壁８側に（地盤側に）押圧し補強対象地盤５Ｂを圧縮補強するようにしている。すなわち、アンカー３定着時、ナット６によって支持板４がアンカー頭部３ｂに係止固定される。
尚、図示例の支圧板４は、平面視で略正方形をなしており中心位置に穿設したボルト孔にアンカー頭部３ｂを挿入することができる。符号９は頭部保護用のキャップであり、必要によりアンカーネジ部及びナット６に被せることができる。
【００３２】
上記測定装置１は擁壁８に設置自在な箱枠状のフレーム１１内に、油圧シリンダー又は電動モータ等のアクチュエータ（図示する例では、油圧シリンダー）で構成される加力手段（ジャッキ駆動部）１２と、先端側に設けた支持ピン１３によって取付けられる係合部材２を備え且つ基部（後部）側を加力手段１２の駆動部１２ａ（プランジャー）に連結した作動アーム１４と、を設けている。図示例の作動アーム１４の中途部はフレーム１１に設けた支持軸１６に上下回動自在に支持されている。そして、作動アーム１４における支持軸１６支持部分から上記支持ピン１３までの距離に対し、支持軸１６支持部分から駆動部１２ａ連結部分までの距離が長く（図示する例では２倍に）なっており、梃子原理を利用して力を増幅する増幅機構（倍力機構）を構成している。また図示例の係合部材２はアンカー頭部３ｂ側に向けて逆Ｌ字状に屈曲するフックとしている。尚、作動アーム１４は基部に穿設した軸方向の長孔１４ａに駆動部１２ａ先端部の作動軸１７を挿入支持して駆動部１２ａと作動アーム１４とを連結している。
【００３３】
そして、加力手段１２の駆動部１２ａを最縮動させたとき、係合部材２の先端部（フック部）がフレーム１１の底面から支圧板４の板厚分より下方に位置させることができるようにしている。
上記構成からなる測定装置１を試験現場で使用する際には、図１で示すように支圧板４の一側辺の中央部の直下に相当する擁壁８の表面位置に、ハツリ手段等によって前記係合部材２のフック部が挿入自在となるフック穴１８を穿設する。次いで、このフック穴１８内に係合部材２を位置させた状態で、フレーム１１の底面を擁壁８の表面に位置決め設置する。これによりグラウンドアンカーの耐荷重試験の準備を簡単に完了することができる。
【００３４】
また上記加力手段１２用の油圧作動機器或いは電力作動機器等の動力操作部は、該加力手段１２とは別体で構成しており、且つ加力手段１２の負荷荷重を測定表示する負荷計測部を備えている。これにより測定装置１は本体部を簡潔な構造とし小型化と軽量化を図り、計測箇所への設置及び移動を簡単且つ楽に行うことができるようにしている。また測定装置１にはアンカー３の上方変位量（引抜量）を検知する変位検知手段を設けており、この実施形態では変位検知手段をアンカー頭部３ｂにセットされるダイアルゲージ（図示せず）とすることにより、当該アンカー３の引抜量を簡単に計測できるものとしている。
【００３５】
次に測定装置１の使用態様及び耐荷重試験について説明する。この例では、前記支圧板４のフック係合箇所に対応する擁壁８に穿設したフック穴１８に、フック部２を挿入しフック部２が支圧板４の裏側に（アンカー頭部３ｂ側に）係脱自在に係合する位置に、測定装置１を擁壁８に位置決め設置する。またアンカー頭部３ｂにダイアルゲージをセットして試験準備作業を完了する。
次いで動力操作部を操作すると、加力手段１２の駆動部１２ａが下方に向けて伸動し、これにより作動アーム１４は支持軸１６を支点に矢印方向に回動することにより、加力手段１２からの力がフック部２に伝えられ、フック部２が支圧板４の裏側係合箇所に接当した状態になる。そして、支圧板４に対して、支圧板４を擁壁８から離間させる方向に、増幅機構で増幅された力（引張力）が加えられる。これによって、アンカー３に引抜方向の荷重を掛けてアンカー３の耐荷重を計測することができる。
【００３６】
このとき支圧板４は、係合部材２と係合する一辺端と対向する他辺端の下コーナー部が擁壁８の表面に接触して支点部Ｓとなり、この他辺端を支点として一辺端側が点線で示すように片持ち状態で持ち上げ回動され、ナット６を介してアンカー３に引抜方向の荷重を掛けることができる。そして、この際の引張力は動力操作部に備えられる負荷計測部に連続的に表示され、アンカー３の変位量はダイアルゲージによって表示される。
従って、この測定装置１によれば、加力手段１２が作動し支圧板４の片持ち回動によってアンカー３が上方に変動するとき、この変位量はダイアルゲージによって簡単に確認することができ、この間の負荷荷重は負荷計測部によって計測され容易に把握することができる。これにより負荷計測部が最大駆動負荷を示す計測時点で、アンカー３の現状アンカー力の強度を把握することができ、当該アンカー３のメンテナンス作業の要否及び補修の程度等の判断をすることができる。
【００３７】
この測定装置１によれば上記計測時点で、例えばアンカー３の頭部に加わる引張力（引き上げ力）が５００ｋＮである場合、実施形態の試験方法では測定装置１が前記梃子腕長比からなる作動アーム１４を備えた倍力機構であること、及び係合部材２が中心位置にアンカー３を挿入支持する支圧板４の一辺端を他辺端を支点に持ち上げることにより、負荷計測部は１２５ｋＮのジャッキ駆動負荷を計測することになる。即ち、１２５ｋＮのジャッキ駆動負荷が計測されると、当該アンカー３が現時点で有する定着荷重は５００ｋＮの現状アンカー力として簡単に把握することができる。
【００３８】
即ち、アンカー３に加わる引張力に対し４分の１の動力でアンカー３の耐荷重試験を行うことができ、アンカー３に所定の大きさの荷重を引抜方向に掛ける際に梃子の原理が作用するため、必要な引張力を生じさせる加力手段１２の出力をより小さくすることが可能になる。従って、加力手段１２の大型化を抑制し測定装置１をよりシンプルで廉価な構造にすることができる。また試験現場に対する測定装置１の設置を容易となし取り扱いの利便性も高まるので、試験作業及び試験後の後片付け並びに次に行われるアンカーメンテナンス作業等も行い易くすることができる。さらに上記試験方法では、支圧板４に係合部材２を引っ掛けて引っ張るだけで計測できるので、従来のもののようにキャップ９を取り外したり、アンカー頭部に設けるジャッキ挟持体等の引張補助具及びそのセット作業を必要としないため、測定装置１の設置及び除去作業を能率よく行うことができる。
【００３９】
また上記試験方法では、１台の測定装置１の係合部材２によって支圧板４の一側辺を擁壁８から離間させアンカー３を引抜方向に変位させる例について説明したが、これに限ることなく同構造からなる別の測定装置１を対向配置し、図２（Ｂ）で示すように、各係合部材２をアンカー３を中心とする対称位置の支圧板４部分に係合させて、耐荷重試験を行うこともできる。この場合には支圧板４を対応する両側辺に対向配置した複数の係合部材２によって、支圧板４を均等に引き上げてアンカー３を引抜方向に引っ張ることができ、また前記実施形態のものと同様に加力手段１２の負荷荷重を４分の１にすることができる。即ち、前記加力手段１２、増幅機構及び係合部材２を複数設けることにより、加力手段１２の出力をより小さくできるという効果がある。
【００４０】
そして、図２（Ｃ）で示すようにさらに別の測定装置１をアンカー３の近傍に配置することにより、各係合部材２を支圧板４の４辺端の均等位置に係合させることができ、この場合も測定装置１を増設した台数分の引張力に応じ各加力手段１２の出力をより小さくできる。さらに、アンカー３の両側に同一仕様の測定装置１を設けるので、アンカー３を左右或いは前後から均等に引き上げることが可能となり精度のよいデータを得ることができる。またいずれの場合でも、アンカー頭部にセットされたダイアルゲージが作動し始めたとき現状荷重を把握することができる。またアンカー頭部３ｂの変位量及び引抜荷重から従来公知の手段により定着長を求めることもできる。
【００４１】
尚、試験完了後には擁壁８に穿設したフック穴１８の補修を行うことが望ましい。また支圧板４の側辺に係合部材２を係合させる係合部材（図示せず）を設けると、該係合部材に係合部材２を係合させて支圧板４を引抜方向に上げることができるので、擁壁８へのフック穴１８の穿設を省略することができる。または係合部材２は支圧板４を両側から係脱自在に挟持するチャック機構からなる係合部材に係合させることもできる。
【００４２】
次に本発明の第２実施形態について図３，図４を参照し説明する。尚、前記実施形態のものと同様な構成及び作用については説明を省略する。このグラウンドアンカーの耐荷重試験方法は、アンカー頭部３ｂ側に引張補助具２１をセットした状態で、前記実施形態のものと同様な複数の測定装置１によって引張補助具２１を介し、アンカー３を引っ張ることにより現状アンカー力等を確認することができるようにしている。
実施形態の引張補助具２１は、ナット（係止部材）６に締緩自在に当接係合する左右の当接部材（グリップ）２２を、箱状の保持具２３に軸支される左右一対の挟持体（第２カム）２４によって係脱自在に当接保持すると共に、係合部材２の動作によって上記左右の挟持体２４を締め付け係合方向に作動させる作用体（第１カム）２６とを備え、箱状保持具２３の天井部分にアンカー頭部３ｂを貫通させる突出孔２７を開口させている。
【００４３】
そして、これによりアンカー３の両側近傍に設置される一対の測定装置１，１の各係合部材２によって引張補助具２１の左右の作用体２６の作用部２６ａを同時に上方作動させる。すると、第１カム２６と第２カム２４の配置位置及び当接形状により構成される両カム２４，２６間のカム機構によって、第２カム２４における第１カム２６との当接部分が下方作動する一方、第２カム２４におけるグリップ２２との当接部分がナット６に接近するように上方作動するため、一対の第２カム２４，２４が、グリップ２２，２２をより強くアンカー頭部３ａに締付けるようにして、グリップ２２、ナット６及びアンカー頭部３ｂに上方向の力を作用させ、アンカー３に引抜方向の荷重を加える。
【００４４】
この際、グリップ２２は、ナット６及び第２カム２４に対し高い摩擦係数を有する弾性的な部材で構成され、ナット６と弟２カム２４の間に介在してナット６及び弟２カム２４に当接し、両カム２４，２６からのの力をナット６に確実に伝える当接部材になる。これによって、現状アンカー力を簡単に計測することができる。
【００４５】
即ち、引張補助具２１は、保持具２３に軸支される左右の作用体２６が係合部材２によって図３の矢印方向に回動されると、該作用体２６の前端面が挟持体２４の後端面を押圧して矢印方向に回動させ、挟持体２４の前端面で当接部材２２の円弧状の側面を強く押圧し、該当接部材２２がナット６を確実に挟持する。そして作用体２６が引っ張りを解除された無負荷状態では、挟持体２４が当接部材２２を押圧せず、当接部材２２とナット６の当接が解除されるため、引抜補助具２１を取外し可能になる。
【００４６】
次に、上記引張補助具２１を用いた耐荷重試験の態様について説明する。先ず計測したいアンカー３のアンカー頭部３ｂ側（左右の各作用体２６）に係合部材２が係合するように、左右の測定装置１を擁壁８に位置決め設置して加力手段１２を作動させる。尚、この場合の測定装置１はフレーム１１の台座１１ａに高さ調節機構を備えている。
【００４７】
これにより各測定装置１の係合部材２は支持軸１６を中心に上昇し、作用体２６の作用部２６ａを上向き回動させ、挟持体２４を介し当接部材２２を押圧してナット６を挟持させ、且つ左右の係合部材２の上昇継続によってナット６がアンカー３を引き抜き方向に引っ張ることができる。そして、アンカー頭部３ｂにセットされたダイアルゲージが作動し始めたとき、現状アンカー力を把握することができる。
【００４８】
この試験方法によれば、上下回動可能に支持された一対の作用体２６にそれぞれ各別に前記加力手段１２、増幅機構及び係合部材２を用意し、各作用体２６にフック２を係合させることにより、作用体２６が、カム機構を介して、アンカー頭部３ｂ側を挟持しながらグラウンドアンカー３に引抜方向の荷重を掛けるように、挟持体２４に力を伝えるので、擁壁８にフック穴１８を形成する等の設置準備作業やフック穴１８を埋め戻す等の補修作業を不要にすることができ、計測作業を能率よく楽に行うことができる。
また作用体２６に加える力を解除すればアンカー頭部３ｂ側の保持が解除されるため、装置の組立がより簡易化されるという利点がある。
【００４９】
またアンカー３の両側には同一仕様の測定装置１が設置されるので、引張補助具２１を介しアンカー３を左右から均等に引き上げることが可能となり、測定良好なデータを得ることができる。このとき例えば現状アンカー力が５００ｋＮである場合に各測定装置１の加力手段１２には１２５ｋＮのジャッキ力を把握することができる。
尚、所要の摩擦力を確保するための当接部材２２に作用する水平力はカムの腕長を調節することで所望の大きさにすることができる。
【００５０】
次に本発明の第３実施形態について図５を参照し説明する。この実施形態に係る測定装置１は、中空状のフレーム１１の天井部に加力手段１２を駆動部１２ａが下向きになるように設けると共に、上記駆動部１２ａと前後方向に離間した天井部に対し作動部材となるロープ（ワイヤーロープ）３１の両端を取付け。ロープ３１の中途部に係合部材２を有する動滑車３２を上下動自在に巻き掛けて支持する。図示例の動滑車３２は中心部に遊動自在な滑車軸３３を軸支しており、該滑車軸３３の両端部にフック状の係合部材２を垂下状態で設けている。フレーム１１は底部を擁壁８に立設自在となし、係合部材２の上下ストロークを確保する高さにしている。
【００５１】
以上のように構成される測定装置１は、加力手段１２の駆動部１２ａとフレーム１１に連結されるロープ３１の中途部に設けた、係合部材２を有する動滑車３２が倍力機構（増幅機構）を構成するので、加力手段１２の駆動力に対し係合部材２は２倍の引張力によって、前記梃子の原理を利用した測定装置１と同様に、支圧板４又は引張補助具２１を引抜方向に引っ張って変位させることができる。
【００５２】
即ち、この測定装置１は動滑車の原理を利用した倍力機構を備えて引張力をアンカー３に伝えるので、加力手段１２の負荷荷重を小さくしてアンカー３の耐荷重を簡単に計測することができる耐荷重試験方法を可能にする。また上記のように動滑車による倍力機構を備える測定装置１は、前記梃子による倍力機構を備えた測定装置１と同様に係合部材２によって、支圧板４や引張補助具２１を引っ張ることができる。
【００５３】
また加力手段１２の構造を油圧シリンダーに変えてウインチモーターにすることもできるので、装置の小型軽量化を図りながら係合部材２のストロークを大きくすることができると共に、大きなストロークを有する測定装置１をアンカー３を充分に引き抜くことができるアンカー引き抜き装置として利用することもできる。
【図面の簡単な説明】
【００５４】
【図１】本発明の第１実施形態に係わる試験装置と試験方法を示す断面図である。
【図２】図（Ａ）は図１の支圧板と係合部材の係合状態を示す平面図であり、（Ｂ）は方形状の支圧板の対向する２辺に係合部材を係合させた状態を示す平面図であり、（Ｃ）は方形状の支圧板の各辺に係合部材を係合させた状態を示す平面図である。
【図３】第２実施形態に係る試験装置及び試験方法の構成を示す部分断面図である。
【図４】図３の引抜補助具の構成を示す平面図である。
【図５】試験装置の別実施形態を示す側面図である。
【符号の説明】
【００５５】
１  測定装置
２  係合部材（フック，フック部）
３  グラウンドアンカー（アンカー）
３ｂ  アンカー頭部
４  支圧板（アンカープレート）
６  係止部材（ナット）
８  擁壁（構造物）
１１  フレーム
１２  加力手段
１２ａ  駆動部（ジャッキ駆動部）
１４  作動アーム
２２  当接部材（グリップ）
２４  挟持体（弟２カム）
２６  作用体（弟１カム）
３１  ロープ
３２  動滑車
【図１】
2009229163.tif 000003
【図２】
2009229163.tif 000004
【図３】
2009229163.tif 000005
【図４】
2009229163.tif 000006
【図５】
2009229163.tif 000007